【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
自走可能な下部走行体と、該下部走行体上に旋回可能に搭載された上部旋回体と、該上部旋回体の前部に俯仰動可能に設けられたフロント装置とからなり、
前記上部旋回体は、支持構造体を構成する旋回フレームと、該旋回フレームの後側に位置して前記フロント装置との重量バランスをとるためのカウンタウエイトと、該カウンタウエイトの前側に位置して前記旋回フレーム上に横向き状態で配設されたエンジンと、該エンジンの長さ方向の一側に位置して設けられた熱交換装置と、該熱交換装置の前側に位置して前記旋回フレーム上に設けられたキャブと、前記エンジンの排気管に設けられ尿素水噴射弁から尿素水が噴射されることにより排気ガス中の窒素酸化物を除去する尿素選択還元触媒を備えたＮＯｘ浄化装置と、該ＮＯｘ浄化装置の尿素水噴射弁に供給するための尿素水溶液を蓄える尿素水タンクとを備え、
前記旋回フレームは、平板状の底板と、該底板上に左，右方向に間隔をもって前，後方向に延びて立設された左，右の縦板と、前記底板および各縦板から左，右方向に張出した複数本の張出しビームと、前記底板の左，右方向の外側位置を前，後方向に延び前記各張出しビームの先端に取付けられた左サイドフレーム，右サイドフレームとにより構成してなる建設機械において、
前記複数本の張出しビームのうち、前記熱交換装置の前側に位置して前記キャブの後側を支持するキャブ後張出しビームは、前記底板から立ち上がった立上り板部と、該立上り板部の上端から屈曲して後側に延びた上横板部と、前記立上り板部と前記上横板部との間に形成された空間部とにより逆Ｌ字状に形成し、
前記尿素水タンクは、上，下方向に延びた縦タンク部と該縦タンク部の下部から前側に延びた横タンク部とによりＬ字状の容器として形成し、
該尿素水タンクの横タンク部は、前記キャブ後張出しビームに形成された前記空間部に配置する構成としたことを特徴とする建設機械。
【請求項２】
前記キャブ後張出しビームの前記上横板部の上面には、該上横板部から立ち上がって左，右方向に延びる前仕切り板を設け、
前記左，右の縦板と前記左，右のサイドフレームとの間には、前記張出しビームと平行に延びる左，右の後部プレートをそれぞれ設け、該左，右の後部プレートのうち左後部プレートには、前記前仕切り板と対面するように左，右方向に延びる後仕切り板を設け、
前記前仕切り板と前記後仕切り板との間には、前記熱交換装置が外気を吸込む吸込み面側に位置してユーティリティ室を設け、
前記尿素水タンクの縦タンク部は前記ユーティリティ室の前側位置に配置する構成としてなる請求項１に記載の建設機械。
【請求項３】
前記キャブ後張出しビームの前記上横板部には、左，右方向の両側に位置して前記キャブを防振状態で支持する防振マウントを取付けるためのマウント取付孔を設け、
前記尿素水タンクの前記横タンク部は、平面視で前記マウント取付孔を避けた位置に配置する構成としてなる請求項１または２に記載の建設機械。
【請求項４】
前記キャブ後張出しビームの下側には、前記底板と前記左サイドフレームとの間に位置してアンダカバーを設け、
前記尿素水タンクは、該アンダカバー上に取付具を用いて取付ける構成としてなる請求項１，２または３に記載の建設機械。
【請求項５】
前記尿素水タンクの前記縦タンク部は前記キャブの後面に沿って上方に延び、その上部位置には、尿素水の給水口を設ける構成としてなる請求項１，２，３または４に記載の建設機械。
【手続補正２】
【補正対象書類名】明細書
【補正対象項目名】０００３
【補正方法】変更
【補正の内容】
【０００３】
また、上部旋回体は、支持構造体を構成する旋回フレームと、旋回フレームの後側に位置してフロント装置との重量バランスをとるためのカウンタウエイトと、カウンタウエイトの前側に位置して旋回フレーム上に横向き状態で配設されたエンジンと、エンジンの長さ方向の一側に位置して設けられた熱交換装置と、熱交換装置の前側に位置して旋回フレーム上に設けられたキャブと、エンジンの排気管に設けられ尿素水噴射弁から尿素水が噴射されることにより排気ガス中の窒素酸化物を除去する尿素選択還元触媒を備えたＮＯｘ浄化装置と、ＮＯｘ浄化装置の尿素水噴射弁に供給するための尿素水溶液を蓄える尿素水タンクとを備えている。
【手続補正３】
【補正対象書類名】明細書
【補正対象項目名】００１０
【補正方法】変更
【補正の内容】
【００１０】
本発明による建設機械は、自走可能な下部走行体と、該下部走行体上に旋回可能に搭載された上部旋回体と、該上部旋回体の前部に俯仰動可能に設けられたフロント装置とからなり、前記上部旋回体は、支持構造体を構成する旋回フレームと、該旋回フレームの後側に位置して前記フロント装置との重量バランスをとるためのカウンタウエイトと、該カウンタウエイトの前側に位置して前記旋回フレーム上に横向き状態で配設されたエンジンと、該エンジンの長さ方向の一側に位置して設けられた熱交換装置と、該熱交換装置の前側に位置して前記旋回フレーム上に設けられたキャブと、前記エンジンの排気管に設けられ尿素水噴射弁から尿素水が噴射されることにより排気ガス中の窒素酸化物を除去する尿素選択還元触媒を備えたＮＯｘ浄化装置と、該ＮＯｘ浄化装置の尿素水噴射弁に供給するための尿素水溶液を蓄える尿素水タンクとを備え、前記旋回フレームは、平板状の底板と、該底板上に左，右方向に間隔をもって前，後方向に延びて立設された左，右の縦板と、前記底板および各縦板から左，右方向に張出した複数本の張出しビームと、前記底板の左，右方向の外側位置を前，後方向に延び前記各張出しビームの先端に取付けられた左サイドフレーム，右サイドフレームとにより構成してなる。
【手続補正４】
【補正対象書類名】明細書
【補正対象項目名】００４６
【補正方法】変更
【補正の内容】
【００４６】
３３はエンジン２５の右上側に配設されたＮＯｘ浄化装置を示している。このＮＯｘ浄化装置３３は、エンジン２５の排気管２５Ｃに設けられている。ＮＯｘ浄化装置３３は、図１０に示すように、前，後方向に延びる円筒状容器として形成された筒状ケース３３Ａと、該筒状ケース３３Ａ内の上流側に設けられた尿素選択還元触媒３３Ｂと、該尿素選択還元触媒３３Ｂの下流側に位置して筒状ケース３３Ａ内に設けられた酸化触媒３３Ｃと、尿素選択還元触媒３３Ｂの上流側となるエンジン２５の排気管２５Ｃに設けられた尿素水噴射弁３３Ｄとを含んで構成されている。筒状ケース３３Ａの後側には、上方に突出するように尾管３３Ｅが設けられている。
【手続補正５】
【補正対象書類名】明細書
【補正対象項目名】００４７
【補正方法】変更
【補正の内容】
【００４７】
このように構成されたＮＯｘ浄化装置３３は、後述の尿素水タンク３４から供給される尿素水を尿素水噴射弁３３Ｄから排気ガス中に噴射することにより、尿素選択還元触媒３３Ｂでは尿素水溶液から生成されたアンモニアを用いて排気ガス中のＮＯｘ（窒素酸化物）を還元反応させ、水と窒素に分解する。そして、酸化触媒３３Ｃによって排気ガス中の一酸化炭素（ＣＯ）、炭化水素（ＨＣ）等は酸化して除去される。
【手続補正６】
【補正対象書類名】明細書
【補正対象項目名】００４９
【補正方法】変更
【補正の内容】
【００４９】
３４はキャブ２８の後側に位置して旋回フレーム５上に設けられた尿素水タンクを示している。この尿素水タンク３４は、ＮＯｘ浄化装置３３の尿素水噴射弁３３Ｄに供給するための尿素水溶液を蓄えるものである。尿素水タンク３４は、後側に位置して上，下方向に延びた縦タンク部３５と、該縦タンク部３５の下部から前側に延びた横タンク部３６とによりＬ字状の容器として形成されている。
【手続補正７】
【補正対象書類名】明細書
【補正対象項目名】００５５
【補正方法】変更
【補正の内容】
【００５５】
ここで、尿素水タンク３４は、図１０に示すように、尿素水供給管３９、供給ポンプ４０を介してＮＯｘ浄化装置３３の尿素水噴射弁３３Ｄに接続されている。
【手続補正８】
【補正対象書類名】明細書
【補正対象項目名】００５９
【補正方法】変更
【補正の内容】
【００５９】
また、エンジン２５の運転時には、排気管２５Ｃから有害物質である窒素酸化物（ＮＯｘ）が排出される。このときには、尿素水タンク３４内の尿素水溶液を供給ポンプ４０を用いて、尿素水供給管３９からＮＯｘ浄化装置３３の尿素水噴射弁３３Ｄに供給する。これにより、ＮＯｘ浄化装置３３は、尿素水噴射弁３３Ｄから排気ガス中に尿素水溶液を噴射してアンモニアを生成する。その結果、尿素選択還元触媒３３Ｂでは、窒素酸化物を水と窒素に還元し、酸化触媒３３Ｃ、尾管３３Ｅを経て外部に排出することにより、窒素酸化物の排出量を低減することができる。
【手続補正９】
【補正対象書類名】明細書
【補正対象項目名】００７２
【補正方法】変更
【補正の内容】
【００７２】
１  ホイール式油圧ショベル（建設機械）
２  下部走行体
３  上部旋回体
４  フロント装置
５  旋回フレーム
６，４１  底板
７  左縦板
８  右縦板
９〜１３  張出しビーム
１４  キャブ後張出しビーム
１４Ａ  立上り板部
１４Ｂ  上横板部
１４Ｃ  空間部
１４Ｅ  マウント取付孔
１５  左後部プレート
１６  右後部プレート
１７  左サイドフレーム
１８  右サイドフレーム
２０Ａ〜２０Ｅ，４２  アンダカバー
２１  前仕切り板
２２  後仕切り板
２３  ユーティリティ室
２４  カウンタウエイト
２５  エンジン
２５Ｃ  排気管
２６  熱交換装置
２６Ａ  吸込み面
２８  キャブ
２８Ａ  防振マウント
３３  ＮＯｘ浄化装置
３３Ｂ  尿素選択還元触媒
３３Ｄ  尿素水噴射弁
３４  尿素水タンク
３５  縦タンク部
３５Ｇ  給水口
３６  横タンク部
３８  固定ベルト（取付具）